【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
複数の薬剤収容容器と，該薬剤収容容器各々が装着される部分であって各々所定の表示部が設けられた複数の容器装着部と，処方内容に応じた種類及び量の薬剤を前記薬剤収容容器から払い出す薬剤払出手段と，を具備してなる薬剤払出装置であって，
薬剤の特定に用いる薬剤特定用情報を入力する薬剤特定用情報入力手段と，
前記薬剤特定用情報入力手段を通じた薬剤特定用情報に対応する薬剤を収容する薬剤収容容器が装着されている容器装着部を特定する容器装着部特定手段と，
前記容器装着部特定手段により特定された容器装着部に設けられた表示部を通報表示状態にさせる通報表示制御手段と，
を具備してなることを特徴とする薬剤払出装置。
【請求項２】
前記薬剤払出手段が，処方内容に応じた種類及び量の薬剤を前記薬剤収容容器から提供用容器へ充填することによって薬剤の払い出しを行う薬剤充填手段であり，
前記薬剤特定用情報入力手段が，前記提供用容器からこれに記録された薬剤特定用情報を読み取る薬剤特定用情報読取手段である請求項１に記載の薬剤払出装置。
【請求項３】
処方を識別する処方識別情報と前記容器装着部を識別する容器装着部識別情報とが対応付けられた処方・薬剤収容対応情報を記憶する記憶手段を具備し，
前記容器装着部特定手段が，前記薬剤特定用情報読取手段により前記薬剤特定用情報として読み取られた処方識別情報と前記処方・薬剤収容対応情報とに基づいて該処方識別情報が読み取られた提供用容器に充填されている薬剤と同一の薬剤が収容されている薬剤収容容器が装着されている容器装着部を特定してなる請求項２に記載の薬剤払出装置。
【請求項４】
前記薬剤充填手段による薬剤充填がなされた前記薬剤収容容器について所定の払出処理が行われると少なくとも該薬剤充填に対応する処方識別情報を含む払出履歴情報を前記記憶手段に蓄積記憶させる払出歴情報蓄積手段を具備し，
前記処方・薬剤収容対応情報の一部若しくは全部が前記払出履歴情報により構成されてなる請求項３に記載の薬剤払出装置。
【請求項５】
前記提供用容器各々に収納されている薬剤の有効期限を記憶する有効期限記憶手段と，
前記容器装着部特定手段により特定された容器装着部に装着された薬剤収容容器に収納されている薬剤の有効期限を前記有効期限記憶手段から読み取る有効期限読取手段と，
前記有効期限読取手段によって読み取られた有効期限と現在の日時との比較結果が所定の許容条件に適合しない場合に所定の警報を通知する有効期限警報通知手段と，
を具備してなる請求項２〜４のいずれかに記載の薬剤払出装置。
【請求項６】
各薬剤に関する薬剤情報と前記容器装着部を識別する容器装着部識別情報とが対応付けられた薬剤・収容対応情報を予め記憶する記憶手段を具備し，
前記容器装着部特定手段が，
前記薬剤特定用情報入力手段により入力された薬剤特定用情報に関連する薬剤情報の候補を前記薬剤・収容対応情報の中から検索して所定の情報表示手段を通じて提示する薬剤情報検索手段と，
前記薬剤情報検索手段により提示された薬剤情報の候補の中から一の薬剤情報を選択する薬剤情報選択手段と，を備えるものであって，前記薬剤・収容対応情報の中から前記薬剤情報選択手段により選択された薬剤情報に対応する容器装着部を特定するものである請求項１に記載の薬剤払出装置。
【請求項７】
前記薬剤特定用情報及び前記薬剤情報が，薬剤の名称情報，色情報，形状情報，大きさ情報，薬剤各々を識別する薬剤識別情報及び薬剤の外観写真情報のうちの１又は複数を含むものである請求項６に記載の薬剤払出装置。
【請求項８】
前記薬剤払出手段による薬剤の払い出し量に応じて所定の記憶手段に記憶された前記薬剤収容容器各々における薬剤の残量情報を減算更新する第１の薬剤残量更新手段と，
前記薬剤特定用情報入力手段を通じた入力情報に対応する薬剤を収容する前記薬剤収容容器である対象薬剤収容容器への薬剤補給量を取得する薬剤補給量取得手段と，
前記対象薬剤収容容器に薬剤が補給された場合に，該対象薬剤収容容器における前記薬剤の残量情報を前記薬剤補給量取得手段により取得された前記薬剤補給量分だけ加算更新する第２の薬剤残量更新手段と，
を具備してなる請求項１〜７のいずれかに記載の薬剤払出装置。
【請求項９】
前記容器装着部各々について前記薬剤収容容器の着脱状態を検知する容器着脱検知手段と，
前記通報表示手段により前記表示部が前記通報表示状態にされている前記容器装着部以外の前記容器装着部について前記容器着脱検知手段により前記薬剤収容容器が取り外されたことが検知された場合に所定の警告通知を行う容器誤外し警告手段と，
を具備してなる請求項１〜８のいずれかに記載の薬剤払出装置。
【手続補正２】
【補正対象書類名】明細書
【補正対象項目名】０００１
【補正方法】変更
【補正の内容】
【０００１】
本発明は，各々特定の薬剤を収容する複数の薬剤収容容器から各患者への薬剤の処方内容に応じた種類及び量の薬剤を払い出す薬剤払出装置に関するものである。
【手続補正３】
【補正対象書類名】明細書
【補正対象項目名】０００４
【補正方法】変更
【補正の内容】
【０００４】
上記目的を達成するために本発明は，複数の薬剤収容容器（前記薬剤カセットがその典型例）と，該薬剤収容容器各々が装着される部分であって各々所定の表示部（ＬＥＤランプ等）が設けられた複数の容器装着部（前記カセット装着部がその典型例）と，処方内容（即ち，処方箋）に応じた種類及び量の薬剤を前記薬剤収容容器から払い出す薬剤払出手段とを備える薬剤払出装置に適用されるものであり，薬剤の特定に用いる薬剤特定用情報を入力する薬剤特定用情報入力手段と，その薬剤特定用情報入力手段を通じた薬剤特定用情報に対応する薬剤を収容する薬剤収容容器が装着されている容器装着部を特定する容器装着部特定手段と，その特定された容器装着部に設けられた表示部を通報表示状態にさせる通報表示制御手段とが設けられたものである。
前記薬剤払出手段としては，処方内容に応じた種類及び量の薬剤を前記薬剤収容容器から提供用容器（前記バイアル瓶がその典型例）へ充填する薬剤充填手段が考えられる。
これにより，作業者が薬剤収容容器に補給しようとする薬剤を特定するための情報を前記薬剤特定用情報入力手段を通じて入力させれば，その薬剤を収容する薬剤収容容器が装着されている容器装着部が，その表示部によって通報されるので，多数の薬剤収容容器の中から，薬剤補給先となる薬剤収容容器（の容器装着部）を特定する作業を的確化及び効率化することができる。
【手続補正４】
【補正対象書類名】明細書
【補正対象項目名】０００９
【補正方法】変更
【補正の内容】
【０００９】
また，前記第１の構成及び前記第２の構成に共通する事項として以下のことが考えられる。
例えば，薬剤収容容器（薬剤カセット）への薬剤補給時期の管理等のため，各薬剤収容容器における薬剤の残量把握が重要であるが，薬剤戻しが生じた場合における薬剤収容容器中の薬剤の残量管理を適切に行える機能を従来の薬剤払出装置は備えていない。
一般に，薬剤払出装置は，前記薬剤払出手段による薬剤の払い出し量（前記薬剤充填手段による薬剤の充填量に相当）に応じて所定の記憶手段に記憶された前記薬剤収容容器各々における薬剤の残量情報を減算更新する手段（第１の薬剤残量更新手段）を備えている。
そこで，そのような手段を備える場合に，前記薬剤特定用情報入力手段を通じた入力情報に対応する薬剤を収容する前記薬剤収容容器（以下，対象薬剤収容容器という）への薬剤補給量を取得する薬剤補給量取得手段と，その対象薬剤収容容器に薬剤が補給された場合に，その対象薬剤収容容器における前記薬剤の残量情報を前記薬剤補給量取得手段により取得された前記薬剤補給量分だけ加算更新する手段（第２の薬剤残量更新手段）をさらに備えたものであれば好適である。
これにより，薬剤戻しが行われた際に，各薬剤収容器において，記憶手段に記憶された薬剤の残量情報と実際の薬剤残量とに不整合が生じる不都合を防止できる。
ここで，前記薬剤補給量取得手段としては，前記薬剤補給量を手入力する所定の操作入力手段が考えられるが，その他，前記薬剤収容容器に記録されているバーコードやＩＣタグの記憶データ等の情報（薬剤補給量の特定に用いる所定の情報）を読み取る手段と，その読み取り情報に基づいて前記薬剤補給量を特定する手段とを有するものも考えられる。
また，一般的な薬剤払出装置では，前記薬剤の残量情報は薬剤収容容器各々を識別する収容容器識別情報と対応付けられて記憶手段に記憶される（この記憶情報を収容容器残量情報というものとする）。さらに，その収容容器識別情報は，前述した処方・薬剤収容対応情報や，前記薬剤充填手段により提供用容器に薬剤が充填されるごとに所定の記憶手段に記憶される薬剤の充填履歴情報等により，前記処方識別情報と対応付けられて記憶手段に記憶されていることが通常である。即ち，前記処方・薬剤収容対応情報が，各患者への薬剤の処方各々を識別する処方識別情報とその処方内容の情報と処方された薬剤を収容する前記薬剤収容容器を識別する薬剤収容容器識別情報と該薬剤収容容器が装着されている前記容器装着部を識別する容器装着部識別情報とが対応付けられた情報となっていたり，或いは，前記充填履歴情報が，実行された薬剤充填に対応する前記処方識別情報と前記薬剤収容容器識別情報とが対応付けられた情報となっている。
このため，前記第２の薬剤残量更新手段としては，前記第１の構成において前記処方識別情報が前記提供用容器に記録される場合に，前記薬剤特定用情報読取手段により読み取られた前記処方識別情報と前記処方・薬剤収容対応情報若しくは前記充填履歴情報と前記収容容器残量情報とに基づいて加算更新する前記薬剤の残量情報を特定するものが考えられる。
【手続補正５】
【補正対象書類名】明細書
【補正対象項目名】００２４
【補正方法】変更
【補正の内容】
【００２４】
次に（又は上記Ｓ１０１，Ｓ１０２の処理と並行して），制御部１０９が瓶取出・搬送機１０２を制御することにより，空のバイアル瓶がバイアル瓶収容部５から特定されたカセット棚２へ移動されるとともに，その移動途中で，ラベル出力機１０６により，図８に示したようなラベルｓの印刷及びバイアル瓶への貼付が行われる。（Ｓ１０３）。
具体的には，ステップＳ１０２で特定されたカセットコードｄ２１（カセット棚２の識別情報）と処方箋データｄ３に含まれている処方数量情報ｄ３２，容器サイズｄ３３及びラベル印字情報ｄ３４とを含む所定の薬剤払出指令が，管理計算機２００から通信線１１及び通信インターフェース１０５を通じて制御部１０９に伝送され，この制御部１０９が，瓶取出・搬送機１０２を制御することにより，バイアル瓶収容部５から前記薬剤払出指令でカセットコードｄ２１により指定されたカセット棚２への空のバイアル瓶の移動が行われる。
ここで，バイアル瓶収容部５は，バイアル瓶のサイズ（種類）ごとに区分して設けられており，瓶取出・搬送機１０２は，前記薬剤払出指令に含まれる容器サイズｄ３３に対応したバイアル瓶収容部５から空のバイアル瓶を取り出して指定されたカセット棚２へ搬送する。また，図８に示したラベルｓへの印刷情報ｐ１〜ｐ８は，ホストコンピュータＹから受信された処方箋データｄ３（図６（ｃ）参照）のラベル印字情報ｄ３５に含まれるものである。
さらに，ステップＳ１０３の処理でバイアル瓶の移動先となったカセット棚２の薬剤カセット１からバイアル瓶への薬剤充填処理が行われる（Ｓ１０４）。
具体的には，制御部１０９が薬剤充填機１０３を制御することにより，前記薬剤払出指令で指定された処方数量情報ｄ３２に従った数量分だけ，薬剤カセット１からバイアル瓶への薬剤充填動作が行われる。その際，薬剤カウンタ１０４により，前記処方数量情報ｄ３２に従った数量に到達するまで薬剤充填量のカウントが行われるとともに，カウントされた数量（以下，カウント数量という）が制御部１０９から管理計算機２００に伝送され，管理計算機２００において，カセットＤＢ（ｄ２）における残量情報ｄ２２が前記カウント数量分だけ減算されてデータ更新される。即ち，管理計算機２００により，その記憶手段にカセットＤＢ（ｄ２）として記憶された薬剤カセット１各々における薬剤の残量情報ｄ２２が，薬剤充填機１０３による薬剤の充填量に応じて減算更新される（第１の薬剤残量更新手段の一例）。
【手続補正６】
【補正対象書類名】明細書
【補正対象項目名】００２５
【補正方法】変更
【補正の内容】
【００２５】
さらに，薬剤充填中に，制御部１０９により，薬剤カセット１内の薬剤切れが生じたか否かが監視（Ｓ１０５）されつつ，薬剤カウンタ１０４によるカウント数が処方数量情報ｄ３２の数量に達したか否かの判別により，薬剤充填が完了したか否かが判別される（Ｓ１０６）。
ここで，制御部１０９により，薬剤充填機１０３による薬剤充填動作が一定時間以上行われているにもかかわらず，薬剤カウンタ１０４による薬剤充填量がカウントアップされない状態が検知された場合には，薬剤カセット１内の薬剤切れであると判別される（Ｓ１０５のＹ側）。この場合，制御部１０９により，当該カセット棚２に設けられた棚ランプ３を点滅させるとともに，所定の警報ブザーにより警報音を出力させる（Ｓ１０９）。これにより，利用者に薬剤切れが生じたことを気付かせ，その薬剤カセット１への薬剤補給が促される。
そして，制御部１０９により，薬剤切れが生じた薬剤カセット１への薬剤補給が完了したことが検知（Ｓ１１０）されると，その旨が制御部１０９から管理計算機２００に通知され，管理計算機２００において，カセットＤＢ（ｄ２）における残量情報ｄ２２及びその薬剤カセット１のカセットコードｄ２１に対応する有効期限情報ｄ５３が初期設定（Ｓ１１１）されるとともに，制御部１０９により棚ランプ３が消灯され（Ｓ１１２），処理がステップＳ１０４へ戻される。これにより，薬剤充填処理の続きが行われる。
ここで，薬剤補給完了の検知（判別）は，例えば，表示・操作部１０８を通じて所定の薬剤補給完了操作が検知されたことをもって薬剤補給完了と判別することや，ステップＳ１０９で棚ランプ３を点滅させたカセット棚２について，カセットセンサ１０１により，薬剤カセット１の取り外し及び装着が検知されたことをもって薬剤補給完了と判別すること等が考えられる。